(57)【要約】【課題】  部品点数を少なくして、小型化することができる狭帯域干渉抑制装置を提供する。【解決手段】狭帯域干渉抑制装置１００は、複数（Ｎ個）の干渉信号除去回路部２０−１〜２０−Ｎ、周波数補償回路部３０、ＡＧＣアンプ４０及びＡＤコンバータ５０を有し、これらはこの順番で直列に接続される。干渉信号除去回路部２０−１〜２０−Ｎは、バンド除去フィルタ２２によって干渉信号を除去するために、可変周波数発振器２５からの局部発振信号を合成するミキサ２１を備える。周波数補償回路部３０は、可変周波数発振器３５によって狭帯域干渉抑制装置１００に入力される信号の周波数帯に戻すために可変周波数発振器３５から生成される周波数の信号を合成するミキサ３１を備える。ＡＤコンバータ５０は、ミキサ２１，３１を通過する回数に応じて、信号の極性を変換する。【選択図】      図１
2005260860.tif 000002
【特許請求の範囲】
【請求項１】
広帯域入力信号から干渉信号を除去する狭帯域干渉抑制装置であって、
前記狭帯域干渉抑制装置は、狭帯域信号除去フィルタを含む複数段の干渉信号除去手段を備えており、
前記干渉信号除去手段は、狭帯域信号除去フィルタにより干渉信号を除去するために局部発振信号を入力信号に合成して、狭帯域信号除去フィルタにより前記干渉信号を除去する手段であって、
前記局部発振信号の周波数は、この局部発振信号が合成される前記干渉信号除去手段よりも前段の干渉信号除去手段において合成される局部発振信号の周波数に基づいて算出されて決定されることを特徴とする狭帯域干渉抑制装置。
【請求項２】
最終段の前記干渉信号除去手段の出力側に、狭帯域干渉抑制装置の出力信号の周波数帯域を前記広帯域入力信号の周波数帯域に合わせるための局部発振信号を合成する補償手段を更に設け、
この補償手段は、各干渉信号除去手段において合成した局部発振信号の周波数に基づいて決定された周波数の局部発振信号を合成することを特徴とする請求項１に記載の狭帯域干渉抑制装置。
【請求項３】
前記干渉信号除去手段は、局部発振信号を生成する可変周波数発振手段を含んでおり、
前記狭帯域干渉抑制装置は、前記可変周波数発振手段の局部発振信号の周波数を決定する制御手段を備え、
前記制御手段は、
前記広帯域入力信号に含まれる干渉信号の周波数を特定し、
この干渉信号の周波数が、前段の干渉信号除去手段において局部発振信号と合成され、この可変周波数発振手段に入力されるときの周波数を算出し、
この周波数と、狭帯域信号除去フィルタにおいて除去可能な信号の周波数とを加算した周波数を、この干渉信号除去手段の可変周波数発振手段に生成させることを特徴とする請求項２に記載の狭帯域干渉抑制装置。
【請求項４】
前記入力信号は、同相成分及び直交成分が含まれる信号であり、
最終段の前記干渉信号除去手段の出力側に、前記入力信号から同相成分及び直交成分を分離する検波手段と、アナログ信号をデジタル信号に変換するアナログデジタル変換手段とを設け、
前記干渉信号除去手段及び前記補償手段において局部発振信号が合成される回数が奇数回の場合、前記アナログデジタル変換手段において、同相成分又は直交成分の一方の極性を反転させることを特徴とする請求項３に記載の狭帯域干渉抑制装置。
【請求項５】
第１段目の前記干渉信号除去手段の入力側に遅延手段を設け、
この遅延手段の遅延時間を、前記制御手段が、前記干渉信号除去手段において合成する局部発振信号の周波数を決定し、この周波数の前記局部発振信号が出力されるまでに要する設定時間より長い時間にすることを特徴とする請求項１〜４のいずれか１つに記載の狭帯域干渉抑制装置。
【請求項６】
前記干渉信号除去手段の出力側に自動利得制御増幅器を設けたことを特徴とする請求項１〜５のいずれか１つに記載の狭帯域干渉抑制装置。
【発明の詳細な説明】
【技術分野】
【０００１】
本発明は、広帯域の信号からこれに含まれる狭帯域の干渉信号を除去して干渉信号の影響を抑制するための狭帯域干渉抑制装置に関する。
【背景技術】
【０００２】
今日の無線通信においては、広帯域の搬送波が活用されている。ここで、このような無線通信システムに連続した周波数帯域を割り当てることは困難である。従って、この解決方法としては、狭帯域を利用する無線通信と同じ周波数帯域を共有したり、小分けされた帯域を利用したりする方法がある。しかしながら、このような場合、広帯域の無線通信に強い狭帯域干渉信号が入ると、アナログデジタル変換器が飽和してしまい、通信品質が著しく劣化することが問題になる。
【０００３】
そこで、受信した信号から、これに含まれる干渉信号を除去するための狭帯域干渉抑制装置が開示されている（例えば、特許文献１参照。）。この特許文献１においては、電力レベルを検出する検出手段と、干渉信号を除去するノッチフィルタ（バンド除去フィルタ）を備えた複数のノッチモジュールとが設けられた狭帯域干渉抑制装置が開示されている。この装置では、検出手段によって検出した入力信号の電力レベルに基づいて閾値を決定し、この閾値に基づいて干渉信号の周波数を検出する。検出された干渉信号は、ノッチモジュールを用いて除去される。ここで用いられるノッチフィルタは、狭い特定周波数域の信号のみを除去する。そこで、ノッチフィルタにおいて除去される特定周波数帯域に、干渉信号の周波数を一致させるため、ノッチモジュールは、ノッチフィルタの入力側に第１のミキサを設けている。更に、このノッチモジュールは、ノッチフィルタの出力側に、干渉信号を除去した信号を元の周波数帯域に戻すための第２のミキサを有する。すなわち、特許文献１の狭帯域干渉抑制装置では、最初のノッチモジュールに入力された信号と同じ周波数帯域の信号に戻され、次のノッチモジュールに入力される。
【特許文献１】特表２００２−５３６９０５号公報（図４〜図６）
【発明の開示】
【発明が解決しようとする課題】
【０００４】
このような干渉信号を除去するための狭帯域干渉抑制装置は、更なる小型化が求められていた。しかしながら、特許文献１に記載の狭帯域干渉抑制装置では、次のノッチモジュールに信号を入力する前に、一旦、最初の周波数帯域の信号に戻すため、各ノッチモジュールは２つのミキサが設けられていた。その分、部品数が多くなり、その分、小型化が困難であった。
【０００５】
本発明は、上述した課題に鑑みてなされ、その目的は、部品数を少なくすることにより効率的に狭帯域の干渉信号を除去することができる狭帯域干渉抑制装置を提供することにある。
【課題を解決するための手段】
【０００６】
上記問題点を解決するために、請求項１に記載の発明は、広帯域入力信号から干渉信号を除去する狭帯域干渉抑制装置であって、前記狭帯域干渉抑制装置は、狭帯域信号除去フィルタを含む複数段の干渉信号除去手段を備えており、前記干渉信号除去手段は、狭帯域信号除去フィルタにより干渉信号を除去するために局部発振信号を入力信号に合成して、狭帯域信号除去フィルタにより前記干渉信号を除去する手段であって、前記局部発振信号の周波数は、この局部発振信号が合成される前記干渉信号除去手段よりも前段の干渉信号除去手段において合成される局部発振信号の周波数に基づいて算出されて決定されること
を要旨とする。
【０００７】
請求項２に記載の発明は、請求項１に記載の狭帯域干渉抑制装置において、最終段の前記干渉信号除去手段の出力側に、狭帯域干渉抑制装置の出力信号の周波数帯域を前記広帯域入力信号の周波数帯域に合わせるための局部発振信号を合成する補償手段を更に設け、この補償手段は、各干渉信号除去手段において合成した局部発振信号の周波数に基づいて決定された周波数の局部発振信号を合成することを要旨とする。
【０００８】
請求項３に記載の発明は、請求項２に記載の狭帯域干渉抑制装置において、前記干渉信号除去手段は、局部発振信号を生成する可変周波数発振手段を含んでおり、前記狭帯域干渉抑制装置は、前記可変周波数発振手段の局部発振信号の周波数を決定する制御手段を備え、前記制御手段は、前記広帯域入力信号に含まれる干渉信号の周波数を特定し、この干渉信号の周波数が、前段の干渉信号除去手段において局部発振信号と合成され、この可変周波数発振手段に入力されるときの周波数を算出し、この周波数と、狭帯域信号除去フィルタにおいて除去可能な信号の周波数とを加算した周波数を、この干渉信号除去手段の可変周波数発振手段に生成させることを要旨とする。
【０００９】
請求項４に記載の発明は、請求項３に記載の狭帯域干渉抑制装置において、前記入力信号は、同相成分及び直交成分が含まれる信号であり、最終段の前記干渉信号除去手段の出力側に、前記入力信号から同相成分及び直交成分を分離する検波手段と、アナログ信号をデジタル信号に変換するアナログデジタル変換手段とを設け、前記干渉信号除去手段及び前記補償手段において局部発振信号が合成される回数が奇数回の場合、前記アナログデジタル変換手段において、同相成分又は直交成分の一方の極性を反転させることを要旨とする。
【００１０】
請求項５に記載の発明は、請求項１〜４のいずれか１つに記載の狭帯域干渉抑制装置において、第１段目の前記干渉信号除去手段の入力側に遅延手段を設け、この遅延手段の遅延時間を、前記制御手段が、前記干渉信号除去手段において合成する局部発振信号の周波数を決定し、この周波数の前記局部発振信号が出力されるまでに要する設定時間より長い時間にすることを要旨とする。
【００１１】
請求項６に記載の発明は、請求項１〜５のいずれか１つに記載の狭帯域干渉抑制装置において、前記干渉信号除去手段の出力側に自動利得制御増幅器を設けたことを要旨とする。
【００１２】
（作用）
請求項１に記載の発明によれば、狭帯域干渉抑制装置は、狭帯域信号除去フィルタを含む複数段の干渉信号除去手段を備える。この干渉信号除去手段は、狭帯域信号除去フィルタにより干渉信号を除去するために局部発振信号を入力信号に合成して、狭帯域信号除去フィルタにより前記干渉信号を除去する手段である。ここで、局部発振信号の周波数は、この局部発振信号が合成される干渉信号除去手段よりも前段の干渉信号除去手段において合成される局部発振信号の周波数に基づいて算出されて決定される。このため、干渉信号除去手段の狭帯域信号除去フィルタによって干渉信号を除去した後、この干渉信号除去手段に入力されたときの周波数帯域に信号を戻して後段の干渉信号除去手段に伝達する必要がない。従って、前段の干渉信号除去手段において、元の周波数帯域に戻すための手段を、狭帯域信号除去フィルタの出力側に設ける必要がない。よって、第１の干渉信号除去手段の部品数を少なくして小型化することができ、ひいては狭帯域干渉抑制装置を小さくすることができる。
【００１３】
請求項２に記載の発明によれば、最終段の干渉信号除去手段の出力側に、狭帯域干渉抑
制装置の出力信号の周波数帯域を広帯域入力信号の周波数帯域に合わせるための局部発振信号を合成する補償手段を更に設ける。この補償手段は、各干渉信号除去手段において合成した局部発振信号の周波数に基づいて決定された周波数の局部発振信号を合成する。従って、補償手段を信号が通過することにより、最終段の干渉信号除去手段から出力される信号の周波数帯域を広帯域入力信号の周波数帯域に戻して、広帯域入力信号から干渉信号を除去した信号を出力することができる。このため、この出力された信号に基づいてデータ変換することにより、広帯域入力信号に含まれるデータを元のデータに、より確実に戻すことができる。
【００１４】
請求項３に記載の発明によれば、干渉信号除去手段は、局部発振信号を生成する可変周波数発振手段を含んでいる。狭帯域抑制装置は、前記可変周波数発振手段の局部発振信号の周波数を決定する制御手段を備える。この制御手段は、前記広帯域入力信号に含まれる干渉信号の周波数を特定し、この干渉信号の周波数が、前段の狭帯域信号除去手段において局部発振信号と合成され、この可変周波数発振手段に入力されるときの周波数を算出し、算出したこの周波数と、狭帯域信号除去フィルタにおいて除去可能な信号の周波数とを加算した周波数を、この干渉信号除去手段の可変周波数発振手段に生成させる。通常、局部発振信号が合成された場合、その局部発振信号の周波数が加算又は減算された２つの周波数帯域の周波数スペクトラムが出現する。ここで、加算した周波数（加算又は減算する周波数のうち絶対値の大きい周波数）を用いることにより、局部発振信号が合成された場合の２つの周波数帯域を離隔して生成することができる。このため、例えばローパスフィルタなどを用いることにより、不要な周波数帯域の周波数スペクトラムを除去して、必要な周波数帯域の周波数スペクトラムを有する信号を抽出することができる。
【００１５】
請求項４に記載の発明によれば、最終段の前記干渉信号除去手段の出力側に、入力信号から同相成分及び直交成分を分離する検波手段と、アナログ信号をデジタル信号に変換するアナログデジタル変換手段とを設ける。この干渉信号除去手段及び前記補償手段において局部発振信号が合成される回数が奇数回の場合、アナログデジタル変換手段において、同相成分又は直交成分の一方の極性を反転させる。このため、干渉信号除去手段及び補償手段において局部発振信号が合成される回数が奇数回の場合でも、広帯域入力信号と同じ周波数スペクトラムの信号を出力することができる。従って、出力された信号に基づいてデータ変換することにより、広帯域入力信号に含まれるデータを元のデータに、より確実に戻すことができる。
【００１６】
請求項５に記載の発明によれば、第１段目の前記干渉信号除去手段の入力側に遅延手段を設ける。この遅延手段の遅延時間を、前記制御手段が、前記干渉信号除去手段において合成する局部発振信号の周波数を決定し、この決定した周波数の前記局部発振信号を前記可変周波数発振器が出力するまでに要する設定時間より長い時間にする。このため、各干渉信号除去手段において合成される局部発振信号の周波数が決定されてから、狭帯域信号除去回路部及び周波数補償回路部を信号が通過する。従って、より確実に干渉信号を除去することができる。
【００１７】
請求項６に記載の発明によれば、狭帯域信号除去回路の出力側に自動利得制御増幅器を設ける。このため、狭帯域信号除去回路から出力される信号強度が異なっても、出力される信号の強度をほぼ同じにすることができる。
【発明の効果】
【００１８】
本発明によれば、狭帯域干渉抑制装置の部品数を少なくして効率化することができる。
【発明を実施するための最良の形態】
【００１９】
以下、本発明を具体化した一実施形態について図１〜図６に基づいて説明する。本実施
形態では、広帯域無線周波数の受信信号（ＲＦ信号）に含まれる狭帯域干渉信号を除去する場合について説明する。
【００２０】
本実施形態の狭帯域干渉抑制装置１００の全体的な概略構成を図１に示す。図１に示すように、狭帯域干渉抑制装置１００は、遅延素子１０、複数の干渉信号除去回路部２０−１〜２０−Ｎ、周波数補償回路部３０、ＡＧＣアンプ４０及びＡＤコンバータ５０を含んで構成されており、この順番で直列に配置されている。また、周波数補償回路部３０とＡＧＣアンプ４０の間には、公知の直交検波器（図示せず）が配置されている。更に、狭帯域干渉抑制装置１００は、電力測定回路部６０、周波数掃引回路部７０及び制御回路部８０を備える。
【００２１】
遅延素子１０は、狭帯域干渉抑制装置１００に入力された信号を、後述する制御回路部８０の処理に合わせるために遅延させる。
干渉信号除去回路部２０−１〜２０−Ｎは、狭帯域の干渉信号を除去するための回路である。各干渉信号除去回路部２０−１〜２０−Ｎは、周波数変換を行うミキサ２１と、これに接続されたバンド除去フィルタ（ＢＥＦ:Band Elimination Filter）２２とを備える。なお、バンド除去フィルタ２２はローパスフィルタ（図示せず）を含む。また、各干渉信号除去回路部２０−１〜２０−Ｎは可変周波数発振器２５を備え、ミキサ２１に接続されている。この可変周波数発振器２５は、制御回路部８０によって決定される周波数の局部発振信号を生成する。
【００２２】
ミキサ２１は、可変周波数発振器２５が生成した局部発振信号と、各干渉信号除去回路部２０−１〜２０−Ｎに入力された信号とを合成する。これにより、各干渉信号除去回路部２０−１〜２０−Ｎに入力される信号の周波数スペクトラムが、局部発振信号の周波数と合成された周波数帯域に変換される。
【００２３】
バンド除去フィルタ２２は、所定の狭い周波数帯域の信号を除去するためのフィルタである。このため、バンド除去フィルタ２２で除去できる周波数帯域に、干渉信号の周波数を一致させて用いる。
【００２４】
図示しないローパスフィルタは、所定の周波数よりも低い周波数のみを通過させるフィルタであり、以降の工程で必要な信号のみを通過させるために用いられる。
更に、各干渉信号除去回路部２０−１〜２０−Ｎはバイパススイッチ２６を備える。このバイパススイッチ２６は、ミキサ２１、バンド除去フィルタ２２に対して並列に接続される。このバイパススイッチ２６は、制御回路部８０によって制御される。そして、バイパススイッチ２６がオンされた場合には、干渉信号除去回路部２０−１〜２０−Ｎに入力された信号は、ミキサ２１及びバンド除去フィルタ２２の代わりに、バイパススイッチ２６を通過して出力される。
【００２５】
周波数補償回路部３０は、最終段の干渉信号除去回路部２０−Ｎから出力される信号が、受信信号の周波数帯域と異なっている場合に、元の周波数帯域に戻すための回路である。周波数補償回路部３０は、ミキサ３１と、このミキサ３１に直列に接続されるローパスフィルタ（図示せず）、可変周波数発振器３５及びバイパススイッチ３６を備える。可変周波数発振器３５は、ミキサ３１に所定の局部発振信号を供給する。また、バイパススイッチ３６は、ミキサ３１及びローパスフィルタに対して並列に接続される。
【００２６】
ミキサ３１は、ミキサ２１と同様に、周波数補償回路部３０に入力された信号と、可変周波数発振器３５からの出力信号を合成する。ローパスフィルタは、所定の周波数よりも低い周波数のみを通過させる。可変周波数発振器３５は、制御回路部８０によって決定される周波数の信号を生成する。また、このバイパススイッチ３６も、制御回路部８０によ
って制御される。これにより、必要に応じて、周波数補償回路部３０に入力された信号は、ミキサ３１の代わりにバイパススイッチ３６を通過させることができる。
【００２７】
周波数補償回路部３０の出力側に配置された直交検波器は、周波数補償回路部３０から出力される信号から、同相成分（In-phase）と直交成分（Quadrature）を分離する検波手段である。この直交検波器は、同相成分を分離するためのミキサと直交成分を分離するためのミキサとを有する。そして、同相成分を分離するためのミキサには、所定の周波数（上記実施例では、５００ＭＨｚ）の信号を加える。そして、この信号に対して位相を９０°遅らせた信号を、直交成分を分離するためのミキサに加える。
【００２８】
ＡＧＣアンプ４０は、増幅率を変更できる自動利得制御増幅器である。ＡＧＣアンプ４０は、制御回路部８０の制御によって自動的に増幅率を変更する。これにより、ＡＧＣアンプ４０から出力される信号の信号強度をほぼ一定にすることができる。
【００２９】
ＡＤコンバータ５０は、アナログ信号をデジタル信号に変換するアナログデジタル変換手段である。このＡＤコンバータ５０は、後述するように、制御回路部８０から指示があった場合、直交成分の極性を反転させる極性反転処理を実行する。
【００３０】
一方、電力測定回路部６０は、受信信号の電力を測定する。この電力測定回路部６０は、ミキサ６１、バンドパスフィルタ６２及びパワーメータ６３から構成されている。電力測定回路部６０に入力された信号は、ミキサ６１、バンドパスフィルタ６２を介してパワーメータ６３に入力される。そして、パワーメータ６３で測定した電力が制御回路部８０に供給される。
【００３１】
ミキサ６１では、狭帯域干渉抑制装置１００に入力された受信信号に、周波数掃引回路部７０からの局部発振信号が加算される。その結果、局部発振信号の周波数分だけ、受信信号の周波数帯域を移動させる。
【００３２】
バンドパスフィルタ６２は、所定の周波数の帯域の信号のみを通過させる。ここでは、ミキサ６１において周波数帯域を徐々に移動させられた信号をバンドパスフィルタ６２に通すことにより、狭帯域干渉抑制装置１００に入力された信号の所定周波数帯域毎の信号を抽出する。
【００３３】
パワーメータ６３は、バンドパスフィルタ６２によって抽出された所定の周波数帯域の信号の電力強度を測定し、その測定結果を制御回路部８０に供給する。
一方、周波数掃引回路部７０は、電力測定回路部６０のミキサ６１に所定の局部発振周波数の信号を供給する。この周波数掃引回路部７０は、可変周波数発振器７１及び掃引器７２を備える。掃引器７２の掃引速度は、制御回路部８０によって決定される。可変周波数発振器７１は、掃引器７２によって決定された掃引速度に応じて連続的に変化する周波数信号を生成する。これにより、ミキサ６１には連続的に変化する局部発振周波数信号が入力される。
【００３４】
上述したように、制御回路部８０は狭帯域干渉抑制装置１００の全体制御を行う。具体的には、制御回路部８０は、周波数掃引回路部７０を制御する。更に、電力測定回路部６０からの信号強度に基づき、制御回路部８０は、各干渉信号除去回路部２０−１〜２０−Ｎ、周波数補償回路部３０、ＡＧＣアンプ４０、ＡＤコンバータ５０の制御を実行する。
【００３５】
上述した各機能部で構成された狭帯域干渉抑制装置１００の動作について、図２〜図６を用いて説明する。
（干渉信号の周波数の決定）
ここでは、図２に示す受信信号Ｓ１０が狭帯域干渉抑制装置１００に入力された場合を想定する。この受信信号Ｓ１０には干渉信号Ｎ０，Ｎ１，Ｎ２が含まれる。
【００３６】
図１に示すように、狭帯域干渉抑制装置１００に信号が入力された場合、まず、電力測定回路部６０を介して制御回路部８０は信号受信を検知する。そして、制御回路部８０は、掃引器７２、可変周波数発振器７１を制御して、所定の掃引速度で連続的に変更した周波数の局部発振信号を生成させる。本実施形態では、制御回路部８０は、徐々に高い周波数の局部発振信号を発生するように可変周波数発振器７１を制御する。
【００３７】
可変周波数発振器７１が生成した局部発振信号は、ミキサ６１において受信信号Ｓ１０と合成される。これにより、図２に示すように、受信信号Ｓ１０の周波数スペクトラムは、徐々に高い周波数へと移動する。
【００３８】
このとき、ミキサ６１から出力される信号は、バンドパスフィルタ６２を通過する。このバンドパスフィルタ６２の周波数特性を、図２及び図３に二点破線を用いて示す。バンドパスフィルタ６２は、所定の狭帯域の周波数のみを通過させるため、図３に示すように、時間変化に伴って、受信信号Ｓ１０の部分スペクトル（ＳＰＮ−１，ＳＰＮ，ＳＰＮ＋１）を順次切り出すことになる。ここでは、部分スペクトル（ＳＰＮ−１，ＳＰＮ，ＳＰＮ＋１）のみを切り出した例を示すが、実際には必要な全周波数帯域を切り出す。
【００３９】
そして、パワーメータ６３は、部分スペクトラム（ＳＰＮ−１，ＳＰＮ，ＳＰＮ＋１）の電力強度を順次測定し、この電力強度を制御回路部８０に供給する。
制御回路部８０は、受信した電力強度の平均値を算出し、この平均値に基づいて閾値を決定する。本実施形態では、制御回路部８０は、平均値に所定割合を乗算した値を閾値として決定する。
【００４０】
次に、制御回路部８０は、除去する干渉信号の周波数を特定する。具体的には、制御回路部８０は、パワーメータ６３が測定した電力強度に基づいて受信信号Ｓ１０の電力強度が、閾値以上となる周波数帯域を特定する。そして、制御回路部８０は、電力強度が閾値以上となる周波数帯域を干渉信号として検出する。
【００４１】
なお、制御回路部８０は、受信信号Ｓ１０の電力強度の平均値に基づいて閾値を決定するため、同じ電力強度の干渉信号であっても検出される場合と検出されない場合とがある。具体的には、図４に示すように、制御回路部８０が信号Ｓ１に対して閾値ｔｈ１を設定した場合には、干渉信号Ｎ０の他に干渉信号Ｎ１を検出する。しかし、制御回路部８０が、平均的な受信強度が大きい信号Ｓ２に対して閾値ｔｈ２を設定した場合には、干渉信号Ｎ１を検出しない。
【００４２】
（干渉信号除去回路部２０−１〜２０−Ｎの設定）
次に、制御回路部８０は、可変周波数発振器２５及びバイパススイッチ２６の制御を行う。除去すべき干渉信号の数が、干渉信号除去回路部２０−１〜２０−Ｎの数より少ない場合には、制御回路部８０は、干渉信号の数だけ可変周波数発振器２５を稼動させる。そして、他の干渉信号除去回路部はバイパススイッチ２６をオンにする。なお、制御回路部８０は、複数の干渉信号を検出した場合には、強度の強い順番に、すなわち強い干渉信号から先に除去するように、干渉信号除去回路部２０−１〜２０−Ｎを制御する。
【００４３】
更に、制御回路部８０は、干渉信号を除去するために必要な周波数を決定する。そして、干渉信号を除去させる干渉信号除去回路部に対して、決定した周波数の生成指示を送る。具体的には、制御回路部８０は、干渉信号の周波数と、バンド除去フィルタ２２において除去可能な周波数とを一致させるために必要な周波数を算出する。このとき、制御回路
部８０は、可変周波数発振器２５に生成させる周波数を、受信信号の周波数帯を基準として決定するのではなく、その可変周波数発振器２５を有する干渉信号除去回路部２０−１〜２０−Ｎに入力される信号の周波数帯を基準として決定する。詳細は、具体例を用いて後述する。
【００４４】
（周波数補償回路部３０、ＡＧＣアンプ４０の設定）
次に、制御回路部８０は、周波数補償回路部３０の可変周波数発振器３５に生成させる周波数を決定する。具体的には、制御回路部８０は、狭帯域干渉抑制装置１００に入力された受信信号の周波数スペクトラムに対して、最後の干渉信号除去回路部２０−Ｎから出力される信号の周波数スペクトラムのズレを算出する。そして、制御回路部８０は、そのズレを補償するための周波数を算出する。更に、制御回路部８０は、算出した周波数の信号を生成するように、可変周波数発振器３５を制御する。
また、制御回路部８０は、算出した電力強度の平均値に応じて、ＡＧＣアンプ４０の増幅率を設定する。
【００４５】
（ＡＤコンバータ５０の設定）
更に、制御回路部８０は、可変周波数発振器２５及び可変周波数発振器３５への制御に基づいて、周波数補償回路部３０から出力される信号の周波数スペクトラムが、狭帯域干渉抑制装置１００に入力した信号の周波数スペクトラムに対して反転するか否かを判定する。具体的には、制御回路部８０は、狭帯域干渉抑制装置１００に入力された信号がミキサ２１，３１を奇数回通過するときにはＡＤコンバータ５０の極性を反転させると決定する。そして、制御回路部８０が、極性を反転させると判定した場合には、制御回路部８０は、ＡＤコンバータ５０を制御して、極性の反転を行う。
【００４６】
（干渉信号除去回路部２０−１〜ＡＤコンバータ５０の動作）
このようにして、制御回路部８０は、周波数掃引回路部７０、電力測定回路部６０、各干渉信号除去回路部２０−１〜２０−Ｎ、周波数補償回路部３０、ＡＧＣアンプ４０及びＡＤコンバータ５０の設定を完了する。その後、狭帯域干渉抑制装置１００に入力された受信信号は、遅延素子１０を介して干渉信号除去回路部２０−１〜２０−Ｎ、周波数補償回路部３０、ＡＧＣアンプ４０及びＡＤコンバータ５０へと伝達される。
【００４７】
干渉信号除去回路部２０−１〜２０−Ｎにおいては、可変周波数発振器２５から生成される局部発振信号がミキサ３１において合成される。これにより、干渉信号の周波数を、バンド除去フィルタ２２が除去可能な周波数と一致させる。また、除去の必要のない場合には、バイパススイッチ２６がオンされ、干渉信号除去回路部に入力された信号は、そのまま出力される。
【００４８】
そして、干渉信号除去回路部２０−Ｎから出力された信号の周波数帯域が、狭帯域干渉抑制装置１００に入力された受信信号の周波数帯域と同じであった場合には、バイパススイッチ３６がオンされ、周波数補償回路部３０に入力された信号がそのまま出力させる。
【００４９】
一方、干渉信号除去回路部２０−Ｎから出力された信号の周波数帯域が、狭帯域干渉抑制装置１００に入力された受信信号の周波数帯域と異なっていた場合には、可変周波数発振器３５から局部発振信号がミキサ３１に供給される。この場合、受信信号の周波数帯域になるような周波数の局部発振信号が用いられる。
【００５０】
そして、周波数補償回路部３０から出力された信号は、ＡＧＣアンプ４０において所定の大きさに増幅され、更にＡＤコンバータ５０においてアナログからデジタルに変換されて、狭帯域干渉抑制装置１００から出力される。
【００５１】
（具体例）
次に、図５を用いて具体例を説明する。ここでは、各バンド除去フィルタ２２として、５００ＭＨｚ付近の狭帯域の周波数を除去するバンド除去フィルタを用いる。
【００５２】
（４９０ＭＨｚ付近の干渉信号Ｎ０を含む場合）
まず、図５の（ａ）に示すように、４９０ＭＨｚ付近の干渉信号Ｎ０を含む信号を受信した場合について説明する。まず、制御回路部８０は、干渉信号除去回路部２０−１〜２０−Ｎ、周波数補償回路部３０、ＡＧＣアンプ４０、ＡＤコンバータ５０の制御条件を設定する。
【００５３】
図５の（ａ）に示す信号が狭帯域干渉抑制装置１００に入力されると、制御回路部８０は、電力測定回路部６０を用いて、４９０ＭＨｚに干渉信号Ｎ０が存在することを検出する。
【００５４】
そこで、まず、制御回路部８０は、干渉信号を除去する干渉信号除去回路部２０−１〜２０−Ｎを決定する。ここでは、検出された干渉信号が１つであったため、干渉信号除去回路部２０−１を用いて干渉信号を除去することとする。従って、他の干渉信号除去回路部２０−２〜２０−Ｎのバイパススイッチ２６をオンに設定する。
【００５５】
次に、制御回路部８０は、干渉信号除去回路部２０−１の可変周波数発振器２５に生成させる周波数を決定する。ここで、制御回路部８０は、５００ＭＨｚから４９０ＭＨｚを加算又は減算した絶対値、すなわち｜５００−４９０｜＝１０ＭＨｚ及び｜５００＋４９０｜＝９９０ＭＨｚを算出する。そして、制御回路部８０は、算出した値の絶対値が大きい値を、干渉信号除去回路部２０−１で用いる周波数として決定する。ここでは、制御回路部８０は、周波数として９９０ＭＨｚを用いることを決定し、干渉信号除去回路部２０−１の可変周波数発振器２５の設定を行う。
【００５６】
次に、制御回路部８０は、周波数補償回路部３０の可変周波数発振器３５の設定を行う。本実施形態では、干渉信号除去回路部２０−１によって、受信信号に対して１０ＭＨｚのずれを生じている。このため、制御回路部８０は、可変周波数発振器３５に対して、受信信号と同じ周波数帯域になるように、可変周波数発振器３５の設定を行う。具体的には、制御回路部８０は、４９０ＭＨｚから５００ＭＨｚを加算又は減算した値（４９０−５００＝−１０、４９０＋５００＝９９０）を算出し、このうち絶対値が大きい周波数、すなわち加算値の周波数（９９０ＭＨｚ）の信号を生成させるように制御する。
【００５７】
更に、制御回路部８０は、ＡＧＣアンプ４０の増幅率を設定する。本実施形態では、この増幅率は受信信号の平均的な電力強度に基づいて決定される。
最後に、制御回路部８０は、ＡＤコンバータ５０の設定を行う。具体的には、この例では狭帯域干渉抑制装置１００に入力された信号は、干渉信号除去回路部２０−１のミキサ２１と周波数補償回路部３０のミキサ３１を通過する。すなわち、ミキサを偶数回、通過するため、制御回路部８０は、ＡＤコンバータ５０に対して極性反転なしの設定を行う。
制御回路部８０は、上述した設定を遅延素子１０の遅延時間内に完了する。
【００５８】
次に、干渉信号除去回路部２０−１に入力された図５の（ａ）に示す信号の変化を説明する。干渉信号除去回路部２０−１に入力された受信信号は、ミキサ２１において９９０ＭＨｚの信号が合成される。これにより、図５の（ｂ）に示すように、４９０ＭＨｚの干渉信号Ｎ０は、５００（＝９９０−４９０）ＭＨｚと、干渉信号Ｎ０の周波数が１４８０（＝９９０＋４９０）ＭＨｚに移動する。なお、５００ＭＨｚに干渉信号Ｎ０を含む合成信号は、反転したスペクトラム形状になる。
【００５９】
そして、この合成信号は、干渉信号除去回路部２０−１のバンド除去フィルタ２２を通過する。これにより、図５の（ｃ）で示すような５００ＭＨｚの狭帯域の信号が除去された信号となる。
【００６０】
更に、この信号が、干渉信号除去回路部２０−１のローパスフィルタを通過する。これにより、高周波は除去される。具体的には、１４８０ＭＨｚの干渉周波数を有する信号が除去される。従って、干渉信号除去回路部２０−１から出力される信号は、図５の（ｄ）に示すように、その５００ＭＨｚの狭帯域の周波数信号が除去された信号になる。
【００６１】
この信号は、干渉信号除去回路部２０−１から出力されると、干渉信号除去回路部２０−２〜２０−Ｎのバイパススイッチ２６を通過して、周波数補償回路部３０に入力される。
【００６２】
ここで、周波数補償回路部３０の可変周波数発振器３５は、制御回路部８０の設定により９９０ＭＨｚの局部発振信号を生成する。この局部発振信号がミキサ３１において入力信号に合成される。このため、周波数補償回路部３０から出力される信号の周波数スペクトラムは、図５の（ｅ）に示すように、狭帯域干渉抑制装置１００に入力された受信信号の周波数帯域と同じになる。なお、ここでは、ミキサ２１，３１において合成された信号は、偶数回であるため、周波数補償回路部３０から出力される信号の周波数スペクトラムは、受信信号に対して反転していない。
【００６３】
そして、周波数補償回路部３０から出力された信号は、直交検波器で同相成分及び直交成分が分離された後、ＡＧＣアンプ４０に入力される。そして、ＡＧＣアンプ４０は、制御回路部８０の設定に基づき増幅率が調節される。
【００６４】
最後に、周波数補償回路部３０から出力された信号は、ＡＤコンバータ５０に入力され、直交成分は極性が反転されずにデジタル変換される。そして、このＡＤコンバータ５０からの信号が、干渉信号を除いた狭帯域干渉抑制装置１００の信号として出力される。
【００６５】
なお、受信信号に、バンド除去フィルタ２２が除去する狭帯域の周波数と同じ５００ＭＨｚの干渉信号Ｎ０を１つ含む場合には、上述した４９０ＭＨｚの干渉信号Ｎ０と同様な処理が行われる。具体的には、制御回路部８０は、可変周波数発振器２５に１０００ＭＨｚの局部発振信号を生成させる。そして、この合成信号は、干渉信号除去回路部２０−１において干渉信号Ｎ０が除去された後、周波数補償回路部３０において元の周波数帯域に戻される。そして、この信号が、ＡＧＣアンプ４０及びＡＤコンバータ５０を介して、狭帯域干渉抑制装置１００の信号として出力される。
【００６６】
（４９０ＭＨｚ付近の干渉信号Ｎ０及び５３０ＭＨｚ付近の干渉信号Ｎ１を含む場合）
次に、図６の（ａ）に示すように、４９０ＭＨｚ付近の干渉信号Ｎ０及び５３０ＭＨｚ付近の干渉信号Ｎ１を含む信号を受信した場合について、図６を用いて説明する。この例においても、まず、制御回路部８０は、干渉信号除去回路部２０−１〜２０−Ｎ、周波数補償回路部３０、ＡＧＣアンプ４０及びＡＤコンバータ５０の制御条件を設定する。
【００６７】
図６の（ａ）に示す信号が狭帯域干渉抑制装置１００に入力されると、制御回路部８０は、電力測定回路部６０を用いて、４９０ＭＨｚの干渉信号Ｎ０と５３０ＭＨｚの干渉信号Ｎ１が存在することを検出する。
【００６８】
そこで、まず、制御回路部８０は、干渉信号を除去する干渉信号除去回路部２０−１〜２０−Ｎを決定する。ここでは、検出した干渉信号が２つであったため、干渉信号除去回路部２０−１、２０−２を用いて干渉信号を除去することとし、その他の干渉信号除去回
路部２０−３〜２０−Ｎのバイパススイッチ２６をオンに設定する。
【００６９】
次に、制御回路部８０は、干渉信号除去回路部２０−１の可変周波数発振器２５に生成させる周波数を決定する。具体的には、受信強度が大きい干渉信号Ｎ０の４９０ＭＨｚの周波数の干渉信号を除去するため、上記実施例１と同様にして９９０ＭＨｚの周波数を生成させることを決定する。
【００７０】
次に、制御回路部８０は、干渉信号除去回路部２０−２の可変周波数発振器２５に生成させる周波数を決定する。具体的には、干渉信号の強度が次に大きい５３０ＭＨｚの周波数の干渉信号を除去するため、その周波数を５００ＭＨｚに調整する周波数を算出する。このとき、干渉信号除去回路部２０−１において、干渉信号Ｎ０の元の周波数（４９０ＭＨｚ）が５００ＭＨｚとなり、かつ周波数スペクトラムの形状が反転するようにするように信号が変換されている。従って、受信信号では５３０ＭＨｚであった干渉信号Ｎ１は、干渉信号除去回路部２０−１から出力されると４６０ＭＨｚに変換される。そこで、制御回路部８０は、４６０ＭＨｚを５００ＭＨｚに一致させる周波数を算出する。すなわち、５００ＭＨｚから４６０ＭＨｚを加算又は減算した値、すなわち４０ＭＨｚ及び９６０ＭＨｚを算出する。そして、制御回路部８０は、算出した値の絶対値が大きい値を生成させる周波数として決定する。ここでは、制御回路部８０は、周波数として９６０ＭＨｚを用いることを決定し、干渉信号除去回路部２０−２の可変周波数発振器２５の設定を行う。
【００７１】
次に、制御回路部８０は、周波数補償回路部３０の可変周波数発振器３５の設定を行う。本実施形態では、干渉信号除去回路部２０−１の可変周波数発振器２５によって生成された９９０ＭＨｚが減算されている。そして、干渉信号除去回路部２０−２の可変周波数発振器２５によって９６０ＭＨｚが減算されている。そのため、受信信号の５００ＭＨｚであった部分が４７０ＭＨｚに変換されている。そこで、制御回路部８０は、４７０ＭＨｚから５００ＭＨｚを加算又は減算した値（４７０−５００＝−３０、４７０＋５００＝９７０）を算出し、このうち絶対値が大きい周波数（９７０ＭＨｚ）を決定する。そして、制御回路部８０は、可変周波数発振器３５に対して、受信信号と同じ周波数帯域になるように、可変周波数発振器３５の設定を行う。具体的には、決定した９７０ＭＨｚの信号を生成させるように制御する。
【００７２】
更に、制御回路部８０は、ＡＧＣアンプ４０の増幅率を決定し、ＡＤコンバータ５０の設定を行う。この例では、狭帯域干渉抑制装置１００に入力された信号は、干渉信号除去回路部２０−１のミキサ２１と、周波数補償回路部３０のミキサ３１を通過する。すなわち、ミキサ２１，３１を奇数回、通過するため、制御回路部８０は、ＡＤコンバータ５０に対して極性反転処理を行うように設定する。
【００７３】
制御回路部８０は、上述した設定を遅延素子１０の遅延時間内に完了する。
次に、干渉信号除去回路部２０−１に入力された図６の（ａ）に示す信号の変化を説明する。干渉信号除去回路部２０−１に入力された受信信号は、ミキサ２１において９９０ＭＨｚの信号が合成される。これにより、図６の（ｂ）に示すように、４９０ＭＨｚの干渉信号Ｎ０が５００ＭＨｚ及び１４８０ＭＨｚに移動する。なお、５００ＭＨｚに干渉信号Ｎ０を含む合成信号は、反転したスペクトラム形状になる。そして、干渉信号除去回路部２０−１のバンド除去フィルタ２２を通過することにより、合成信号から５００ＭＨｚの干渉信号Ｎ０が除去される。更に、干渉信号除去回路部２０−１のローパスフィルタを通過することにより、合成信号から１４８０ＭＨｚの干渉信号Ｎ０を含む高周波帯域の信号が除去される。従って、干渉信号除去回路部２０−１から出力された信号は、５００ＭＨｚの近傍に広がり、その５００ＭＨｚの狭帯域の周波数信号が除去された信号となる。
【００７４】
この信号は、干渉信号除去回路部２０−１から出力されると、干渉信号除去回路部２０
−２に入力される。すると、干渉信号除去回路部２０−２のミキサ２１において、９６０ＭＨｚの信号が合成される。これにより、図６（ｃ）に示すように、干渉信号Ｎ１は５００ＭＨｚと、干渉信号Ｎ１の周波数が１４２０ＭＨｚに移動する。なお、５００ＭＨｚに干渉信号Ｎ１を含む合成信号は、干渉信号除去回路部２０−１から出力された信号とは反転したスペクトラム形状、すなわち受信信号と同じスペクトラム形状になる。
【００７５】
そして、この信号が、干渉信号除去回路部２０−２のバンド除去フィルタ２２を通過することにより、干渉信号Ｎ１を含む５００ＭＨｚ付近の信号が除去される。更に、この信号が、干渉信号除去回路部２０−２のローパスフィルタを通過することにより、１４２０ＭＨｚに干渉信号を含む信号が除去される。従って、干渉信号除去回路部２０−２から出力される信号は、図６の（ｄ）に示すように、５００ＭＨｚの狭帯域の周波数信号が除去された信号となる。
【００７６】
この信号は、干渉信号除去回路部２０−２から出力されると、干渉信号除去回路部２０−３〜２０−Ｎのバイパススイッチ２６を通過して、周波数補償回路部３０に入力される。
【００７７】
ここで、周波数補償回路部３０の可変周波数発振器３５には、９７０ＭＨｚの局部発振信号を生成する。この局部発振信号がミキサ３１において入力信号に合成される。このため、周波数補償回路部３０から出力される信号の周波数スペクトラムは、図６の（ｅ）に示すように、受信信号の周波数帯域と同じになる。ただし、このとき、ミキサ２１，３１において周波数が合成された回数が奇数であるため、周波数補償回路部３０から出力される信号の周波数スペクトラムは、周波数補償回路部３０に入力された信号の周波数スペクトラムに対して反転した状態、すなわち図６（ａ）に示す受信信号の周波数スペクトラムに対して反転した状態になっている。
【００７８】
そして、周波数補償回路部３０から出力される信号は、直交検波器及びＡＧＣアンプ４０を介してＡＤコンバータ５０に入力される。そして、ＡＤコンバータ５０において、直交成分が極性反転されてデジタル変換される。そして、このＡＤコンバータ５０からの信号が、干渉信号Ｎ０，Ｎ１を除いた信号が狭帯域干渉抑制装置１００から出力される。
【００７９】
（４９０ＭＨｚ付近の干渉信号Ｎ０及び５００ＭＨｚ付近の干渉信号を含む場合）
次に、上述した５３０ＭＨｚの干渉信号Ｎ１が５００ＭＨｚにあった場合について説明する。この場合、制御回路部８０は、干渉信号除去回路部２０−１の可変周波数発振器２５に９９０ＭＨｚの信号を生成させて、干渉信号除去回路部２０−２の可変周波数発振器２５において９９０ＭＨｚの信号を生成させる。このとき、干渉信号除去回路部２０−２のミキサ２１を通過した合成信号は、受信信号の周波数帯域に戻される。そのため、制御回路部８０は、周波数補償回路部３０のバイパススイッチ３６をオンに設定する。ここで、受信信号は、干渉信号除去回路部２０−１，２０−２のミキサ２１を２回のみ通過するので、周波数補償回路部３０から出力される信号の周波数スペクトラムは受信信号に対して反転せずに出力される。このため、制御回路部８０は、ミキサ２１を偶数回、通過するため、ＡＤコンバータ５０に対して極性反転なしの設定を行う。
【００８０】
従って、この場合には、受信信号は、干渉信号除去回路部２０−１を通過することにより４９０ＭＨｚの干渉信号Ｎ０が除去された後、干渉信号除去回路部２０−２を通過することにより５００ＭＨｚの干渉信号Ｎ１が除去される。その後、バイパススイッチ３６を通過し、ＡＤコンバータ５０において極性反転なしでデジタル変換される。これにより、干渉信号Ｎ０，Ｎ１を除いた信号が狭帯域干渉抑制装置１００から出力される。
【００８１】
本実施形態によれば、以下のような効果を得ることができる。
・本実施形態においては、狭帯域干渉抑制装置１００は、干渉信号除去回路部２０−１〜２０−Ｎと周波数補償回路部３０とを備える。干渉信号除去回路部２０−１〜２０−Ｎは、バンド除去フィルタ２２で除去される狭帯域の周波数に干渉信号Ｎ０，Ｎ１の周波数を合わせるための局部発振信号を合成するミキサ２１を有する。周波数補償回路部３０は、受信信号の周波数帯域に戻すための局部発振信号を合成するミキサ３１を有する。このため、干渉信号除去回路部２０−１〜２０−Ｎにおいて受信信号の周波数帯域に戻す必要がない。従って、従来と異なり、各干渉信号除去回路部２０−１〜２０−Ｎのバンド除去フィルタ２２の出力側に、干渉信号除去回路部２０−１〜２０−Ｎに入力された信号の周波数帯域に戻すためのミキサを不要にすることができる。よって、干渉信号除去回路部２０−１〜２０−Ｎは、従来より部品数を減らすことができる。更に、干渉信号除去回路部２０−１〜２０−Ｎを複数個有する狭帯域干渉抑制装置１００を小型にしたり干渉信号を高速で除去したりすることができる。
【００８２】
・本実施形態においては、制御回路部８０は、バンド除去フィルタ２２により除去される狭帯域に一致させる周波数のうち絶対値が大きい周波数の信号を、可変周波数発振器２５，３５において生成させる。このため、ミキサ２１，３１において信号を合成したことにより、周波数スペクトラムが２つ生成されても、それらを離散的に生成させることができる。従って、干渉信号除去回路部２０−１〜２０−Ｎ及び周波数補償回路部３０に設けたローパスフィルタにより、必要な周波数スペクトラムの信号のみを抽出することができる。
【００８３】
・本実施形態では、図６に示すように、ミキサ２１，３１を通過する度に、周波数スペクトルの極性が反転する。そのため、制御回路部８０は、信号が奇数回、ミキサ２１，３１を通過すると判断すると、ＡＤコンバータ５０の極性を反転させる。ミキサ２１，３１を奇数回通過した後の信号の周波数スペクトルは、狭帯域干渉抑制装置１００に入力された信号の周波数スペクトルに対して反転しているので、ＡＤコンバータ５０において極性が反転されることにより、正しい極性の信号を取得することができる。
【００８４】
・本実施形態では、干渉信号除去回路部２０−１の入力側に遅延素子１０を設ける。このため、制御回路部８０は、検出した干渉信号Ｎ０、Ｎ１の周波数に基づいて各可変周波数発振器２５，３５が生成する周波数を決定した後に、入力信号を干渉信号除去回路部２０−１に入力することができる。従って、狭帯域干渉抑制装置１００は、より的確な制御回路部８０の設定に基づいて入力信号から干渉信号Ｎ０，Ｎ１を除去することができる。
【００８５】
・本実施形態では、干渉信号除去回路部２０−１〜２０−Ｎのミキサ２１及びバンド除去フィルタ２２に並列にバイパススイッチ２６を設ける。更に、ミキサ２１において信号が合成されない場合にはバイパススイッチ２６をオンにして、信号がミキサ２１及びバンド除去フィルタ２２を通過させない。これにより、入力信号に含まれる干渉信号がＮ個より少ない場合には、少ない分だけバンド除去フィルタ２２を通過させずに、信号を取得することができる。
【００８６】
・本実施形態では、制御回路部８０は、図３に示すように、狭帯域干渉抑制装置１００に入力した信号の周波数スペクトラムを、例えば部分ＳＰＮ−１，ＳＰＮ，ＳＰＮ＋１のように、信号強度を連続的に測定して、干渉信号Ｎ０，Ｎ１の周波数を算出する。従って、干渉信号Ｎ０，Ｎ１の周波数をより精度よく検出することができる。このため、制御回路部８０は、干渉信号Ｎ１，Ｎ０をより確実に除去することができる。
【００８７】
・本実施形態では、制御回路部８０は、電力測定回路部６０によって測定された信号強度に基づいて閾値を算出し、この閾値との比較により干渉信号の周波数を検出する。このため、信号強度に応じて干渉信号を検出し、効率的に干渉信号を除去することができる。
【００８８】
・本実施形態では、制御回路部８０が、複数の干渉信号Ｎ０，Ｎ１を検出した場合には、この干渉信号Ｎ０，Ｎ１のうち強い干渉信号Ｎ０から先に除去するように、干渉信号除去回路部２０−１〜２０−Ｎを制御する。すなわち、強度の強い順番に、干渉信号Ｎ０，Ｎ１を除去することにより、干渉信号除去回路部２０−１〜２０−Ｎの数を最小限にして、これらの小型化や消費電流の低減化を行うことができる。
【００８９】
・本実施形態では、狭帯域信号除去回路の出力側にＡＧＣアンプ４０を設ける。このため、干渉信号除去回路部２０−１〜２０−Ｎから出力される信号強度が異なっても、狭帯域干渉抑制装置１００から取り出される信号の強度をほぼ同じにすることができる。
【００９０】
・本実施形態では、周波数補償回路部３０とＡＧＣアンプ４０の間に、同相成分及び直交成分を信号から分離する直交検波器を設ける。同相成分と直交成分の信号強度の比に復調のための情報が重畳されている場合には、復調特性の劣化要因となる利得のバラツキが分離するときに生じることがある。しかし、本実施形態では、直交検波器において分離された同相成分及び直交成分の信号はＡＧＣアンプ４０を通過するので、これら同相成分及び直交成分の利得をＡＧＣアンプ４０で調整することができる。従って、同相成分と直交成分の信号強度の比に復調のための情報が重畳されている場合でも、ＡＧＣアンプ４０において同相成分及び直交成分の利得を調整し、情報をより確実に取得することができる。
【００９１】
なお、上記実施形態は以下のように変更してもよい。
○上記実施形態においては、周波数補償回路部３０を、干渉信号除去回路部２０−Ｎと、ＡＧＣアンプ４０との間に設けた。これに代えて、周波数補償回路部３０を、ＡＤコンバータ５０の出力側に設けてもよい。この場合には、制御回路部８０は、周波数補償回路部３０において信号がミキサ３１を通過するかバイパススイッチ３６を通過するかを考慮して、ＡＤコンバータ５０における極性を反転するか否かを制御する。
【００９２】
○上記実施形態においては、干渉信号除去回路部２０−１の入力側に遅延素子１０を設けた。これに代えて、狭帯域干渉抑制装置１００が狭帯域の干渉信号に対して許容量の大きいシステムの場合には、この遅延素子１０を省略してもよい。これにより、更に部品数を低減することができる。
【００９３】
また、遅延素子１０と並行にバイパススイッチを設け、このバイパススイッチのオンオフ制御により、信号が遅延素子１０を通過する場合と通過しない場合があるようにしてもよい。この場合、狭帯域の干渉信号があるが周波数配置が変化しない場合には、電力測定回路部６０を一定期間、停止することができるので、省電力を測ることができる。
【００９４】
○上記実施形態においては、５００ＭＨｚの干渉信号Ｎ０のみが受信信号に含まれていた場合には、他の周波数と同じように干渉信号除去回路部２０−１のミキサ２１において周波数帯域を変換した後、周波数補償回路部３０において受信信号の周波数帯域に戻した。これに代えて、周波数補償回路部３０にバンド除去フィルタ２２を、バイパススイッチ２６と並行に設けてもよい。この場合、５００ＭＨｚの干渉信号Ｎ０が受信信号に含まれる場合には、周波数補償回路部３０のバンド除去フィルタ２２を通過させる。これにより、可変周波数発振器２５及び可変周波数発振器３５から局部発振信号を発生させることなく、干渉信号Ｎ０を除去できるので、省電力化を図ることができる。
【００９５】
○上記実施形態においては、制御回路部８０は、干渉信号の周波数を算出するために、可変周波数発振器７１が生成する局部発振信号を徐々に高くして、受信信号Ｓ１０を徐々に高い周波数に移動させた。これに限らず、干渉信号の周波数が算出できれば、制御回路部８０は、可変周波数発振器７１が発生する局部発振信号をどのように変化させてもよい
。例えば、可変周波数発振器７１が生成する局部発振信号を徐々に低くして、受信信号Ｓ１０を徐々に低い周波数に移動させてもよい。または、最初に発生させる局部発振信号の周波数の初期値を設定しておき、この初期値から周波数を徐々に高くした後、低い周波数から初期値まで周波数を徐々に高くして、局部発振信号の周波数を変化させてもよい。
【００９６】
○上記実施形態においては、制御回路部８０は、図３に示すように、狭帯域干渉抑制装置１００に入力した信号の周波数スペクトラムを連続的な部分ＳＰＮ−１，ＳＰＮ，ＳＰＮ＋１に分けて、各部分ＳＰＮ−１，ＳＰＮ，ＳＰＮ＋１の信号強度を測定して、干渉信号の周波数を算出した。これに限らず、例えば、入力信号の一部を離散的に抽出し、この結果から干渉信号の周波数を算出してもよい。この場合には、干渉信号の周波数の検出精度は低下するが、高速に測定することができるので、干渉信号を敏感に除去することができる。
【００９７】
○上記実施形態においては、各干渉信号除去回路部２０−１〜２０−Ｎにおいてバンド除去フィルタ２２の出力側に図示しないローパスフィルタを設けた。これに代えて、ミキサ２１の出力側でバンド除去フィルタ２２の入力側にローパスフィルタを設けてもよい。
【００９８】
○上記実施形態においては、狭帯域干渉抑制装置１００は、広帯域無線周波数（ＲＦ）の信号を用いて説明した。干渉信号を除去する信号は、これに限られない。例えば、中間周波数（ＩＦ）の信号に含まれる干渉信号を除去するために用いてもよい。
【００９９】
○上記実施形態においては、同相成分及び直交成分を信号から分離するための直交検波器を周波数補償回路部３０とＡＧＣアンプ４０との間に設けた。これに代えて、この直交検波器を、ＡＧＣアンプ４０とＡＤコンバータ５０との間に設けてもよい。すなわち、直交検波器をＡＧＣアンプ４０の前に設けた場合には、同相成分の信号が通過するＡＧＣアンプ４０と、直交成分の信号が通過するＡＧＣアンプ４０との利得を同じにすることが難しい場合がある。この場合には、直交検波器をＡＧＣアンプ４０の後に設ければ、ＡＧＣアンプ４０において同相成分及び直交成分の利得が同じとなるように調整することができる。
【０１００】
○上記実施形態においては、ＡＤコンバータ５０において、直交成分の極性を反転させた。極性反転処理はこれに限らず、例えば、ＡＤコンバータ５０の入力側にアナログ増幅器を設け、これとＡＤコンバータ５０との協働により直交成分の極性を反転してもよい。ここで、ＡＤコンバータ５０の入力側に設けるアナログ増幅器に、ＡＧＣアンプ４０を利用してもよい。この場合には、部品数を増やさなくても、ＡＧＣアンプ４０とＡＤコンバータ５０との協働により直交成分の極性を反転することができる。
【０１０１】
○上記実施形態においては、直交成分の極性を反転させた。これに代えて、同相成分の極性を反転させて、入力信号の周波数スペクトラムと同じスペクトラムとなるように、信号を反転させてもよい。なお、この同相成分と直交成分によって表現される直交変調方式を用いた無線システムには、例えば、ＣＤＭＡ（ＣＤＭＡ１ｘ、Ｗ−ＣＤＭＡ等）、ｉＤＥＮ、ＰＤＣ、ＰＨＳなどの携帯電話サービスや、直交周波数分割多重（ＯＦＤＭ:Orthogonal Frequency Division Multiplex）を用いた地上デジタルテレビ方法等がある。
【図面の簡単な説明】
【０１０２】
【図１】本発明の実施形態の狭帯域干渉抑制装置のブロック図。
【図２】実施形態における電力測定回路部のミキサを通過する信号の説明図。
【図３】実施形態における信号の電力強度の測定を説明するための説明図。
【図４】実施形態の制御回路における干渉信号の検出を説明するための説明図。
【図５】１つの干渉信号を除去する処理を説明する周波数スペクトラムの図。
【図６】２つの干渉信号を除去する処理を説明する周波数スペクトラムの図。
【符号の説明】
【０１０３】
Ｎ０，Ｎ１…干渉信号、Ｓ１０…広帯域入力信号としての受信信号、１０…遅延手段としての遅延素子、２０−１〜２０−Ｎ…干渉信号除去手段としての干渉信号除去回路部、２２…狭帯域信号除去フィルタとしてのバンド除去フィルタ、２５，３５，７１…可変周波数発振手段としての可変周波数発振器、３０…補償手段としての周波数補償回路部、４０…自動利得制御増幅器としてのＡＧＣアンプ、５０…アナログデジタル変換手段としてのＡＤコンバータ、８０…制御手段としての制御回路部、１００…狭帯域干渉抑制装置。
【図１】
2005260860.tif 000003
【図２】
2005260860.tif 000004
【図３】
2005260860.tif 000005
【図４】
2005260860.tif 000006
【図５】
2005260860.tif 000007
【図６】
2005260860.tif 000008